(57)【要約】【課題】収穫機に走行制御用情報を取得不能な異常が発生した際の安全性および利便性の向上を図ることができる、収穫機の走行制御装置を提供する。【解決手段】エンジンと左右一対の走行装置との間には、ＨＳＴ３１が介在されている。ＨＳＴ３１は、エンジン３２の動力で駆動される油圧ポンプおよび油圧ポンプが吐出する圧油によって駆動される油圧モータを含む構成である。左右一対の走行装置には、油圧モータの動力が伝達される。通常手法による走行制御では、走行制御用情報が用いられて、ＨＳＴ３１の動作が制御される。走行制御用情報を取得できない異常が発生した場合、その異常の発生に応じて走行制御の手法が通常手法から走行制御用情報を用いない縮退手法に切り替えられて、その後は、縮退手法により、ＨＳＴ３１の動作が制御される。【選択図】図３
2019213501.tif 000002
【特許請求の範囲】
【請求項１】
エンジンと、左右一対の走行装置と、前記エンジンの動力で駆動されるポンプおよび前記ポンプが吐出する圧油によって駆動されるモータを含み、前記モータの動力を前記走行装置に伝達する動力伝達装置とを備える収穫機に用いられる走行制御装置であって、
走行制御用情報を取得する情報取得手段と、
前記情報取得手段が前記走行制御用情報を取得可能な通常時に、前記走行制御用情報を用いる通常手法により前記動力伝達装置を制御する通常制御手段と、
前記情報取得手段が前記走行制御用情報を取得不能な異常時に、前記走行制御用情報を用いない縮退手法により前記動力伝達装置を制御する縮退制御手段とを含む、走行制御装置。
【請求項２】
前記収穫機には、前記収穫機を前進させるために中立位置から一方側に操作され、前記収穫機を後進させるために前記中立位置から他方側に操作されるシフト操作部材と、前記シフト操作部材の位置を検出する操作位置検出手段とが設けられており、
前記情報取得手段は、前記操作位置検出手段から入力される検出信号に基づいて、前記シフト操作部材の位置情報を前記走行制御用情報として取得し、
前記通常制御手段は、前記情報取得手段によって取得される前記シフト操作部材の位置情報が前記中立位置に対して前記一方側の位置を示す情報であるときには、前記動力伝達装置から前記走行装置に前記収穫機を前進させる方向の動力が出力され、前記情報取得手段によって取得される前記シフト操作部材の位置情報が前記中立位置に対して前記他方側の位置を示す情報であるときには、前記動力伝達装置から前記走行装置に前記収穫機を後進させる方向の動力が出力されるよう、前記動力伝達装置を制御する、請求項１に記載の走行制御装置。
【請求項３】
前記収穫機は、第１状態と第２状態とに切り替えられるスイッチ操作部材をさらに備えており、
前記縮退制御手段は、前記操作位置検出手段の検出信号が入力されないために前記シフト操作部材の位置情報を取得不能な異常時において、前記スイッチ操作部材が前記第１状態であるときには、前記動力伝達装置から前記走行装置に前記収穫機を前進させる方向の動力が出力され、前記スイッチ操作部材が前記第２状態であるときには、前記動力伝達装置から前記走行装置に前記収穫機を後進させる方向の動力が出力されるよう、前記動力伝達装置を制御する、請求項２に記載の走行制御装置。
【請求項４】
前記動力伝達装置は、前記ポンプのポンプ斜板の位置を制御するサーボ機構をさらに含む構成であり、
前記通常制御手段は、前記情報取得手段によって取得される前記シフト操作部材の位置情報に基づいて、前記シフト操作部材の位置に応じた前記ポンプ斜板の目標位置を設定して、前記ポンプ斜板の位置が当該目標位置に一致するように前記サーボ機構をフィードバック制御し、
前記縮退制御手段は、前記スイッチ操作部材が前記第１状態であるときに、前記ポンプ斜板の目標位置を前進側の一定位置に設定し、前記スイッチ操作部材が前記第２状態であるときに、前記ポンプ斜板の目標位置を後進側の一定位置に設定して、前記サーボ機構をフィードフォワード制御する、請求項３に記載の走行制御装置。
【請求項５】
前記収穫機は、穀稈から脱穀する脱穀装置をさらに備えており、
前記スイッチ操作部材は、前記脱穀装置に入り込む穀稈の長さを第１長さと前記第１長さよりも短い第２長さとに選択的に設定するこぎ深さスイッチである、請求項３または４に記載の走行制御装置。
【請求項６】
前記収穫機は、前記走行制御装置と通信可能に接続される制御装置をさらに備え、
前記動力伝達装置は、前記ポンプのポンプ斜板の位置を制御するサーボ機構をさらに含む構成であり、
前記制御装置には、前記操作位置検出手段によって検出される位置を前記シフト操作部材の実際の位置に合わせるように調節するための操作位置調節データが保持されており、
前記情報取得手段は、前記操作位置検出手段から入力される検出信号から前記操作位置調節データを用いて前記シフト操作部材の位置情報を取得し、
前記縮退制御手段は、前記情報取得手段が前記操作位置調節データを用いることができないために前記シフト操作部材の位置情報を取得不能な異常時に、前記操作位置検出手段によって検出される位置に応じた前記ポンプ斜板の目標位置を設定して、前記サーボ機構をフィードフォワード制御する、請求項２〜５のいずれか一項に記載の走行制御装置。
【請求項７】
前記動力伝達装置は、前記ポンプのポンプ斜板の位置を制御するサーボ機構をさらに含む構成であり、
前記収穫機には、前記ポンプ斜板の位置を検出する斜板位置検出手段が設けられており、
前記情報取得手段は、前記斜板位置検出手段から入力される検出信号に基づいて、前記ポンプ斜板の位置情報を前記走行制御用情報として取得し、
前記通常制御手段は、前記ポンプ斜板の位置情報に基づいて、前記ポンプ斜板の目標位置を設定して、前記ポンプ斜板の位置が当該目標位置に一致するように前記サーボ機構をフィードバック制御し、
前記縮退制御手段は、前記ポンプ斜板の目標位置を設定して、前記サーボ機構をフィードフォワード制御する、請求項１〜６のいずれか一項に記載の走行制御装置。
【請求項８】
前記収穫機は、前記走行制御装置と通信可能に接続される制御装置をさらに備え、
前記制御装置には、前記斜板位置検出手段によって検出される位置を前記ポンプ斜板の実際の位置に合わせるように調節するための斜板位置調節データが保持されており、
前記情報取得手段は、前記斜板位置検出手段から入力される検出信号から前記斜板位置調節データを用いて前記ポンプ斜板の位置情報を取得し、
前記縮退制御手段は、前記情報取得手段が前記斜板位置調節データを用いることができないために前記ポンプ斜板の位置情報を取得不能な異常時に、前記斜板位置検出手段によって検出される位置に基づいて、前記ポンプ斜板の目標位置を設定して、前記サーボ機構をフィードフォワード制御する、請求項７に記載の走行制御装置。
【発明の詳細な説明】
【技術分野】
【０００１】
本発明は、穀物などを収穫する収穫機の走行制御装置に関する。
【背景技術】
【０００２】
たとえば、静油圧式無段変速機（ＨＳＴ：Hydro Static Transmission）を搭載したコンバインでは、エンジンの動力で油圧ポンプが駆動され、油圧ポンプが吐出する油によって油圧モータが駆動されて、油圧モータの動力が左右のクローラに伝達される。左右のクローラが同速度で駆動されることにより、機体が前後に直進し、左右のクローラが速度差を有して駆動されることにより、機体が左右に旋回する。
【０００３】
コンバインには、乗用車やトラクタとは異なり、一般に機体を制動する制動装置が搭載されていない。そのため、コンバインでは、走行に関連するセンサの故障など、走行制御に用いられる情報（走行制御用情報）を取得不能となる異常が発生した場合には、安全を確保すべく、エンジンの停止（作動禁止）によって走行を一切禁止する処置がとられる。
【先行技術文献】
【特許文献】
【０００４】
【特許文献１】特開２００８−５７３５８号公報
【発明の概要】
【発明が解決しようとする課題】
【０００５】
しかしながら、コンバインが路上を自走中に走行が禁止されると、踏切横断中や坂道走行中など、その走行状況によっては、かえって危険になる場合がある。また、コンバインが圃場内に入っているときに走行が禁止されると、圃場内で走行関連部品の交換または修理を行うか、または、修理場で走行関連部品の交換または修理を行うには、コンバインをクレーンで吊り上げて圃場から搬出し、そのコンバインを積載車に載せて修理場まで運搬しなければならない。
【０００６】
本発明の目的は、収穫機に走行制御用情報を取得不能な異常が発生した際の安全性および利便性の向上を図ることができる、収穫機の走行制御装置を提供することである。
【課題を解決するための手段】
【０００７】
前記の目的を達成するため、本発明に係る収穫機の走行制御装置は、エンジンと、左右一対の走行装置と、エンジンの動力で駆動されるポンプおよびポンプが吐出する圧油によって駆動されるモータを含み、モータの動力を走行装置に伝達する動力伝達装置とを備える収穫機に用いられる走行制御装置であって、走行制御用情報を取得する情報取得手段と、情報取得手段が走行制御用情報を取得可能な通常時に、走行制御用情報を用いる通常手法により動力伝達装置を制御する通常制御手段と、情報取得手段が走行制御用情報を取得不能な異常時に、走行制御用情報を用いない縮退手法により動力伝達装置を制御する縮退制御手段とを含む。
【０００８】
この構成によれば、エンジンと左右一対の走行装置との間には、動力伝達装置が介在されている。動力伝達装置は、エンジンの動力で駆動されるポンプおよびポンプが吐出する圧油によって駆動されるモータを含む構成である。左右一対の走行装置には、モータの動力が伝達される。
【０００９】
通常時には、動力伝達装置が通常手法で制御され、その制御では、走行制御用情報が用いられる。収穫機に走行制御用情報を取得できない異常が発生した場合、その異常の発生に応じて動力伝達装置の制御の手法が通常手法から走行制御用情報を用いない縮退手法に切り替えられて、その後は縮退手法により動力伝達装置が制御される。これにより、収穫機に走行制御用情報を取得できない異常が発生しても、動力伝達装置を縮退動作させることができ、動力伝達装置から走行装置に動力を伝達して、収穫機の走行を継続させることができる。
【００１０】
そのため、収穫機が踏切横断中に走行制御用情報を取得できない異常が発生した場合に、収穫機が踏切を渡りきることができ、収穫機が踏切内で立ち往生する危険を減らすことができる。また、収穫機が坂道走行中に走行制御用情報を取得できない異常が発生した場合に、動力伝達装置から走行装置に動力が伝達されなくなることを抑制でき、収穫機がその運転する者の意図に反して坂道を下る危険を減らすことができる。さらには、圃場内で収穫機に走行制御用情報を取得できない異常が発生した場合に、収穫機を自走により圃場外に脱出させることができる。
【００１１】
よって、収穫機に走行制御用情報を取得不能な異常が発生した際の安全性および利便性の向上を図ることができる。
【００１２】
収穫機には、収穫機を前進させるために中立位置から一方側に操作され、収穫機を後進させるために中立位置から他方側に操作されるシフト操作部材と、シフト操作部材の位置を検出する操作位置検出手段とが設けられていてもよい。この構成では、情報取得手段は、操作位置検出手段から入力される検出信号に基づいて、シフト操作部材の位置情報を走行制御用情報として取得し、通常制御手段は、情報取得手段によって取得されるシフト操作部材の位置情報が中立位置に対して一方側の位置を示す情報であるときには、動力伝達装置から走行装置に収穫機を前進させる方向の動力が出力されるように動力伝達装置を制御し、情報取得手段によって取得されるシフト操作部材の位置情報が中立位置に対して他方側の位置を示す情報であるときには、動力伝達装置から走行装置に収穫機を後進させる方向の動力が出力されるように動力伝達装置を制御してもよい。
【００１３】
収穫機には、シフト操作部材とは別に、第１状態と第２状態とに切り替えられるスイッチ操作部材が設けられていてもよい。収穫機が脱穀装置を備える場合、スイッチ操作部材は、脱穀装置に入り込む穀稈の長さを第１長さと第１長さよりも短い第２長さとに選択的に設定するこぎ深さスイッチであってもよい。そして、縮退制御手段は、操作位置検出手段の検出信号が入力されないためにシフト操作部材の位置情報を取得不能な異常時において、スイッチ操作部材が第１状態であるときには、動力伝達装置から走行装置に収穫機を前進させる方向の動力が出力されるように動力伝達装置を制御し、スイッチ操作部材が第２状態であるときには、動力伝達装置から走行装置に収穫機を後進させる方向の動力が出力されるように動力伝達装置を制御してもよい。これにより、シフト操作部材の位置情報を取得不能な異常時に、スイッチ操作部材の操作により、収穫機を前進および後進させることができる。
【００１４】
動力伝達装置は、ポンプのポンプ斜板の位置を制御するサーボ機構をさらに含む構成であってもよい。この構成では、通常制御手段は、情報取得手段によって取得されるシフト操作部材の位置情報に基づいて、シフト操作部材の位置に応じたポンプ斜板の目標位置を設定して、ポンプ斜板の位置が当該目標位置に一致するようにサーボ機構をフィードバック制御することが好ましい。一方、縮退制御手段は、スイッチ操作部材が第１状態であるときに、ポンプ斜板の目標位置を前進側の一定位置に設定し、スイッチ操作部材が第２状態であるときに、ポンプ斜板の目標位置を後進側の一定位置に設定して、サーボ機構をフィードフォワード制御してもよい。これにより、シフト操作部材の位置情報を取得不能な異常時に、ポンプから一定量の圧油を吐出させることができ、モータから動力伝達装置に一定の動力を伝達することができる。
【００１５】
収穫機は、走行制御装置と通信可能に接続される制御装置をさらに備え、制御装置には、操作位置検出手段によって検出される位置をシフト操作部材の実際の位置に合わせるように調節するための操作位置調節データが保持されていてもよい。この構成では、情報取得手段は、操作位置検出手段から入力される検出信号から操作位置調節データを用いてシフト操作部材の位置情報を取得し、縮退制御手段は、情報取得手段が操作位置調節データを用いることができないためにシフト操作部材の位置情報を取得不能な異常時に、操作位置検出手段によって検出される位置に応じたポンプ斜板の目標位置を設定して、サーボ機構をフィードフォワード制御してもよい。
【００１６】
また、動力伝達装置がポンプのポンプ斜板の位置を制御するサーボ機構をさらに含む構成であり、収穫機にポンプ斜板の位置を検出する斜板位置検出手段が設けられている構成である場合、情報取得手段は、斜板位置検出手段から入力される検出信号に基づいて、ポンプ斜板の位置情報を走行制御用情報として取得し、通常制御手段は、ポンプ斜板の位置情報に基づいて、ポンプ斜板の目標位置を設定して、ポンプ斜板の位置が当該目標位置に一致するようにサーボ機構をフィードバック制御し、縮退制御手段は、ポンプ斜板の目標位置を設定して、サーボ機構をフィードフォワード制御してもよい。
【００１７】
かかる場合において、収穫機は、走行制御装置と通信可能に接続される制御装置をさらに備え、制御装置には、斜板位置検出手段によって検出される位置をポンプ斜板の実際の位置に合わせるように調節するための斜板位置調節データが保持されていてもよい。そして、情報取得手段は、斜板位置検出手段から入力される検出信号から斜板位置調節データを用いてポンプ斜板の位置情報を取得し、縮退制御手段は、情報取得手段が斜板位置調節データを用いることができないためにポンプ斜板の位置情報を取得不能な異常時に、斜板位置検出手段によって検出される位置に基づいて、ポンプ斜板の目標位置を設定して、サーボ機構をフィードフォワード制御してもよい。
【発明の効果】
【００１８】
本発明によれば、収穫機に走行制御用情報を取得できない異常が発生しても、収穫機の走行を継続させることができるので、その異常発生時の安全性および利便性の向上を図ることができる。
【図面の簡単な説明】
【００１９】
【図１】本発明の一実施形態に係るコンバインの前部を示す右側面図である。
【図２】コンバインに搭載されているＨＳＴの構成を示す図である。
【図３】コンバインの電気的構成の要部を示すブロック図である。
【図４】走行制御のための具体的な構成を示すブロック図である。
【発明を実施するための形態】
【００２０】
以下では、本発明の実施の形態について、添付図面を参照しつつ詳細に説明する。
【００２１】
＜コンバイン＞
図１は、本発明の一実施形態に係るコンバイン１の前部を示す右側面図である。
【００２２】
コンバイン１は、圃場を走行しながら穀稈の刈り取りおよび穀稈からの脱穀を行う作業車両である。コンバイン１の機体１１は、左右一対の走行装置１２に支持されている。走行装置１２には、圃場でのコンバイン１の走行可能にするため、不整地走破能力を有するクローラが採用されている。
【００２３】
機体１１には、運転台１３、刈取装置１４、脱穀装置１５および穀粒タンク１６が設けられている。
【００２４】
運転台１３は、走行装置１２の前端部の上方に配置されている。運転台１３には、作業者が着座する運転座席１７が設けられており、たとえば、運転座席１７の前方および左方には、作業者により操作される操作パネル１８が設けられている。操作パネル１８には、主変速レバー２１および操向レバー２２などが備えられている。
【００２５】
主変速レバー２１は、前後方向に傾動可能に設けられている。主変速レバー２１の傾動操作により、機体１１の前進および後進を切り替えることができ、また、その前進または後進の速度を変更することができる。
【００２６】
操向レバー２２は、左右方向および前後方向に傾動可能に設けられている。操向レバー２２の左右方向の傾動操作により、機体１１の直進、左旋回および右旋回を切り替えることができる。また、操向レバー２２の前後方向の傾動操作により、刈取装置１４を昇降させることができる。
【００２７】
刈取装置１４は、走行装置１２の前方に配置されている。刈取装置１４は、その前端に分草具２３を備え、分草具２３の後方に刈刃２４を備えている。分草具２３および刈刃２４は、刈取装置フレーム２５Ｆに支持されている。刈取装置フレーム２５Ｆの後端部には、左右方向に延びる刈取横フレーム２５Ｌが設けられている。刈取横フレーム２５Ｌには、刈取主フレーム２５Ｍの一端部が接続されている。刈取主フレーム２５Ｍは、刈取横フレーム２５Ｌから後側に延び、その他端部（前下がりに設けられて、その後端部）が機体１１のフレームに回動可能に接続されている。操向レバー２２の前後方向の傾動操作により、シリンダ（図示せず）を動作させて、刈取主フレーム２５Ｍを揺動させることができ、その揺動により、分草具２３および刈刃２４が地面から高く上昇した上昇位置と、分草具２３および刈刃２４が地面近くに下降した下降位置とに昇降する。分草具２３および刈刃２４が下降位置に位置した状態で機体１１が前進すると、圃場に植立されている穀稈の株元が分草具２３によって分けられながら、穀稈が刈刃２４によって刈り取られる。
【００２８】
脱穀装置１５および穀粒タンク１６は、走行装置１２の上方かつ刈取装置１４の後方の位置で左右に並べて配置されている。刈り取られた穀稈は、刈取装置１４により脱穀装置１５へと搬送される。脱穀装置１５は、穀稈の株元側を脱穀フィードチェーンによって後方向きに搬送し、穀稈の穂先側を扱室に供給して脱穀する。そして、脱穀装置１５から穀粒タンク１６に穀粒が搬送されて、穀粒が穀粒タンク１６に貯留される。穀粒タンク１６には、穀粒排出オーガ２６が連設されており、穀粒タンク１６に貯留された穀粒は、穀粒排出オーガ２６により機外に排出することができる。
【００２９】
＜無段変速装置＞
図２は、ＨＳＴ３１の構成を示す図である。
【００３０】
コンバイン１には、ＨＳＴ（Hydro Static Transmission：静油圧式変速機）３１が搭載されている。ＨＳＴ３１は、エンジン３２（図３参照）の動力を変速して出力する。ＨＳＴ３１が出力する動力は、旋回機構（図示せず）を介して、左右の走行装置１２に伝達される。旋回機構としては、たとえば、複数の油圧式のクラッチを備え、それらのクラッチの係合（入）および解放（切）の組合せにより、左右の走行装置１２に等速の動力を伝達する状態と、左右の走行装置１２の一方に伝達される動力よりも低速の動力を他方に伝達する状態と、左右の走行装置１２の一方のみに動力を伝達する状態と、左右の走行装置１２の一方に伝達される動力と逆方向の動力を他方に伝達する状態とを取り得る構成のものが採用される。
【００３１】
ＨＳＴ３１は、油圧ポンプ４１と油圧モータ４２との間で作動油が循環するように、油圧ポンプ４１と油圧モータ４２とを第１油路４３および第２油路４４で接続した閉回路の構成を有している。第１油路４３は、油圧ポンプ４１の第１ポート４５と油圧モータ４２の第１ポート４６とに接続されている。第２油路４４は、油圧ポンプ４１の第２ポート４７と油圧モータ４２の第２ポート４８とに接続されている。
【００３２】
また、ＨＳＴ３１には、チャージポンプ５１が付随して設けられている。チャージポンプ５１は、固定容量型の油圧ポンプであり、ポンプ回転軸５２の回転により、チャージ油路５３に作動油を吐出する。チャージ油路５３は、第１チェックバルブ５４を介して第１油路４３に接続され、第２チェックバルブ５５を介して第２油路４４に接続されている。また、チャージ油路５３は、チャージリリーフバルブ５６を介して、オイルタンク５７に接続されている。
【００３３】
チャージリリーフバルブ５６の機能により、チャージ油路５３の油圧が所定のチャージ圧に維持される。第１油路４３の油圧がチャージ油路５３の油圧、つまりチャージ圧よりも低くなると、第１チェックバルブ５４が開成して、チャージ油路５３から第１チェックバルブ５４を介して第１油路４３に作動油が供給される。また、第２油路４４の油圧がチャージ圧よりも低くなると、第２チェックバルブ５５が開成して、チャージ油路５３から第２チェックバルブ５５を介して第２油路４４に作動油が供給される。これにより、第１油路４３および第２油路４４の油圧がチャージ圧以上に維持される。
【００３４】
ＨＳＴ３１は、油圧ポンプ４１、油圧モータ４２、第１油路４３、第２油路４４、第１チェックバルブ５４、第２チェックバルブ５５およびチャージリリーフバルブ５６などを単一のケースに収容した一体型ＨＳＴとして構成されている。
【００３５】
油圧ポンプ４１は、可変容量型の斜板式ピストンポンプであり、シリンダブロック、シリンダブロック内に放射状に配置された複数のピストンおよびピストンが摺動するポンプ斜板などを備えている。油圧ポンプ４１とチャージポンプ５１とは、ポンプ回転軸５２を共通に有しており、シリンダブロックは、ポンプ回転軸５２と一体回転するように設けられている。
【００３６】
油圧ポンプ４１のポンプ斜板の傾斜角度を変更するため、電子制御式のサーボシリンダ５８が設けられている。サーボシリンダ５８は、前進側の圧力制御弁６１から油圧が供給される第１圧力室６２と、後進側の圧力制御弁６３から油圧が供給される第２圧力室６４とを有している。また、サーボシリンダ５８は、第１圧力室６２と第２圧力室６４との差圧により直動するロッド６５を有しており、このロッド６５の直動により、ポンプ斜板の傾斜角度が変更される。サーボシリンダ５８、前進側の圧力制御弁６１および後進側の圧力制御弁６３により、油圧ポンプ４１のポンプ斜板の傾斜角度を制御するサーボ機構６６が構成されている。
【００３７】
油圧ポンプ４１のポンプ回転軸５２の軸線（シリンダブロックの回転軸線）に対するポンプ斜板の傾斜角度が大きいほど、油圧ポンプ４１からの作動油の吐出量が少なくなり、ポンプ斜板の傾斜角度が９０°であるとき、油圧ポンプ４１からの作動油の吐出が停止する。また、ポンプ斜板の傾斜角度が９０°を超えると（傾きが逆転すると）、傾斜角度が９０°未満のときと油圧ポンプ４１からの作動油の吐出方向が逆転する。
【００３８】
油圧モータ４２は、可変容量型の斜板式ピストンモータであり、モータ回転軸７１、モータ回転軸７１と一体に回転するシリンダブロック、シリンダブロック内に放射状に配置された複数のピストンおよびピストンが押しつけられるモータ斜板などを備えている。油圧モータ４２のモータ回転軸７１の軸線に対するモータ斜板の傾斜角度が一定である場合、油圧モータ４２に供給される作動油の量、つまり油圧ポンプ４１から吐出される作動油の量が多いほど、モータ回転軸７１の回転数が増加する。
【００３９】
また、油圧モータ４２に供給される作動油の量が一定である場合、モータ斜板の傾斜角度が大きいほど、モータ回転軸７１の回転数が低下する。油圧モータ４２のモータ斜板の傾斜角度を変更するため、副変速ピストン７２が設けられている。副変速ピストン７２には、低速切替弁７３および高速切替弁７４が接続されている。低速切替弁７３がオンにされ、高速切替弁７４がオフにされて、低速切替弁７３から副変速ピストン７２に油圧が供給されることにより、副変速ピストン７２のロッド７５が低速位置に位置し、モータ斜板の傾斜角度が相対的に大きくなる。一方、低速切替弁７３がオフにされ、高速切替弁７４がオンにされて、高速切替弁７４から副変速ピストン７２に油圧が供給されることにより、副変速ピストン７２のロッド７５が高速位置に位置し、モータ斜板の傾斜角度が相対的に小さくなる。したがって、低速切替弁７３および高速切替弁７４のオン／オフの切り替えにより、モータ斜板の位置をモータ回転軸７１の回転数が相対的に大きくなる高速側の位置と、モータ回転軸７１の回転数が相対的に小さくなる低速側の位置との２段に切り替えることができる。
【００４０】
＜電気的構成＞
図３は、コンバイン１の電気的構成の要部を示すブロック図である。
【００４１】
コンバイン１には、全体の統括的な制御のための単一のメインＥＣＵ（Electronic Control Unit：電子制御ユニット）８１と、個別の具体的な制御のための複数のＥＣＵとが搭載されている。個別の具体的な制御のためのＥＣＵには、たとえば、エンジン３２を制御するためのエンジンＥＣＵ８２およびＨＳＴ３１を制御するための走行制御ＥＣＵ８３などが含まれる。メインＥＣＵ８１、エンジンＥＣＵ８２および走行制御ＥＣＵ８３は、それぞれマイクロコントローラユニット（ＭＣＵ：Micro Controller Unit）を含む構成である。
【００４２】
メインＥＣＵ８１は、個別の具体的な制御のための各ＥＣＵ、つまりエンジンＥＣＵ８２および走行制御ＥＣＵ８３などと通信可能に接続されている。また、メインＥＣＵ８１には、運転台１３の操作パネル１８（図１参照）に配置されたメータパネル８４が制御対象として接続されている。メインＥＣＵ８１は、メータパネル８４に設けられている走行距離計などの各種の計器類や表示器を制御する。たとえば、コンバイン１に異常が発生した場合に、メインＥＣＵ８１は、その異常に関する情報をメータパネル８４に送信し、異常の内容を表示器に表示させる。表示器は、たとえば、液晶表示器からなる。
【００４３】
走行制御ＥＣＵ８３には、主変速レバー２１の操作位置に応じた検出信号を出力する主変速レバーセンサ８５と、操向レバー２２の操作位置に応じた検出信号を出力する操向レバーセンサ８６とが接続されており、それらの検出信号が入力される。
【００４４】
また、走行制御ＥＣＵ８３には、運転台１３の操作パネル１８に設けられているスイッチ８７であって、走行制御および旋回制御以外に用いられるスイッチ８７が接続され、そのスイッチ８７の状態に応じた信号が入力される。スイッチ８７の一例として、脱穀装置１５に入り込む穀稈の長さ、つまりこぎ深さを調節するこぎ深さスイッチを挙げることができる。こぎ深さスイッチは、たとえば、こぎ深さを第１長さ（深）と第１長さよりも短い第２長さ（浅）とに選択的に設定するスイッチであってもよい。
【００４５】
操作パネル１８には、旋回モードスイッチが設けられている。旋回モードスイッチは、旋回制御のモードをソフト旋回モード、ブレーキ旋回モードおよびスピン旋回モードの間で切り替えるためのダイヤル式スイッチであり、その可動域には、ソフト旋回モード、ブレーキ旋回モードおよびスピン旋回モードにそれぞれ対応したソフト位置、ブレーキ位置およびスピン位置が設定されている。旋回モードスイッチは、作業者の手指で摘ままれて回動操作されるノブを有し、ノブの回動操作によりその位置が切り替わり、ソフト位置、ブレーキ位置およびスピン位置の各位置に応じた信号を出力する。
【００４６】
さらに、走行制御ＥＣＵ８３には、ＨＳＴ３１に含まれる圧力制御弁６１，６３にそれぞれ供給される電流の値に応じた検出信号を出力する電流センサ８８と、ＨＳＴ３１に含まれる油圧ポンプ４１のポンプ斜板の位置（基準位置からの傾斜角度）に応じた検出信号を出力するポンプ斜板位置センサ８９とが接続されており、それらの検出信号が入力される。
【００４７】
メインＥＣＵ８１は、個別の具体的な制御のための各ＥＣＵが各種センサの検出信号などから取得する情報を受信し、それらの各ＥＣＵが制御に必要とする指令や情報を各ＥＣＵに送信する。たとえば、メインＥＣＵ８１は、走行制御ＥＣＵ８３から送信されるエンジン始動許可を受けて、エンジン３２の始動の指令をエンジンＥＣＵ８２に送信する。また、メインＥＣＵ８１は、走行制御ＥＣＵ８３に接続されている主変速レバーセンサ８５、操向レバーセンサ８６および電流センサ８８の各検出信号から取得される検出値を調節するための調節データを保持しており、その調節データを走行制御ＥＣＵ８３に送信する。
【００４８】
走行制御ＥＣＵ８３は、主変速レバーセンサ８５、操向レバーセンサ８６、電流センサ８８およびポンプ斜板位置センサ８９の各検出信号から取得される情報、スイッチ８７から入力される信号から取得される情報、ならびにメインＥＣＵ８１から入力される情報に基づいて、機体１１の走行および旋回を制御するために、エンジン３２、ＨＳＴ３１に含まれる圧力制御弁６１，６３、低速切替弁７３、高速切替弁７４および旋回機構に備えられる各クラッチの係合／解放を切り替えるための弁などを制御する。
【００４９】
＜走行制御＞
機体１１の走行は、走行制御ＥＣＵ８３によって制御される。この走行制御では、主変速レバーセンサ８５の検出信号から主変速レバー２１の位置が取得される。
【００５０】
主変速レバー２１の位置が停止位置であるときには、ＨＳＴ３１の前進側の圧力制御弁６１および後進側の圧力制御弁６３に供給される電流の制御により、それらの各開度が調節されて、油圧ポンプ４１のポンプ斜板の位置が傾斜角度９０°の位置にされる。これにより、油圧ポンプ４１から作動油が吐出されないので、油圧モータ４２が回転せず、ＨＳＴ３１から動力が出力されない。よって、走行装置１２が動作せず、機体１１が停止している。
【００５１】
主変速レバー２１が停止位置から前側に傾動されると、ＨＳＴ３１の圧力制御弁６１，６３に供給される電流の制御により、前進側の圧力制御弁６１からサーボシリンダ５８の第１圧力室６２に供給される油圧が後進側の圧力制御弁６３から第２圧力室６４に供給される油圧よりも大きくされる。これにより、第１圧力室６２と第２圧力室６４とに差圧が生じ、この差圧により油圧ポンプ４１のポンプ斜板の位置が傾斜角度９０°未満の位置となる。その結果、油圧ポンプ４１から作動油が吐出され、油圧モータ４２がその作動油を受けて回転し、ＨＳＴ３１から前進方向の動力が出力される。このとき、旋回機構の状態が左右の走行装置１２に等速の動力を伝達する状態であれば、左右の走行装置１２が前進方向に等速で回転することにより、機体１１が前方に直進する。
【００５２】
主変速レバー２１が停止位置から後側に傾動されると、ＨＳＴ３１の圧力制御弁６１，６３に供給される電流の制御により、後進側の圧力制御弁６３から第２圧力室６４に供給される油圧が前進側の圧力制御弁６１からサーボシリンダ５８の第１圧力室６２に供給される油圧よりも大きくされる。これにより、第１圧力室６２と第２圧力室６４とに差圧が生じ、この差圧により油圧ポンプ４１のポンプ斜板の位置が傾斜角度９０°よりも大きい位置となる。その結果、油圧ポンプ４１から作動油が前進時と逆方向に吐出され、油圧モータ４２がその作動油を受けて前進時と逆方向に回転し、ＨＳＴ３１から後進方向の動力が出力される。このとき、旋回機構の状態が左右の走行装置１２に等速の動力を伝達する状態であれば、そのＨＳＴ３１から出力される後進方向の動力が走行装置１２に伝達されて、左右の走行装置１２が後進方向に等速で回転することにより、機体１１が後方に直進する。
【００５３】
前進時または後進時に、圧力制御弁６１，６３に供給される電流の制御により、油圧ポンプ４１のポンプ斜板の傾斜角度が変更されると、油圧ポンプ４１からの作動油の吐出量が変化し、油圧モータ４２の回転数が変化する。したがって、主変速レバー２１の停止位置からの傾動量に応じて、油圧ポンプ４１のポンプ斜板の傾斜角度を調節することにより、機体１１の前進および後進の速度を無段階に変化させることができる。
【００５４】
また、低速切替弁７３および高速切替弁７４のオン／オフの切り替えにより、油圧モータ４２の回転数が相対的に大きくなる高速段と相対的に小さくなる低速段との２段に切り替えることができる。したがって、その高速段と低速段との切り替えによっても、機体１１の前進および後進の速度を変化させることができる。なお、運転台１３の操作パネル１８に副変速レバー（図示せず）が設けられて、その副変速レバーの操作により、高速段と低速段との切り替えが指示されるとよい。
【００５５】
＜旋回制御＞
機体１１の直進（前進・後進）走行時に、操向レバー２２が中央の直進位置から左側または右側の旋回位置に傾動操作されると、走行制御ＥＣＵ８３により、機体１１を旋回させるための旋回制御が開始される。
【００５６】
旋回制御では、旋回モードスイッチの出力信号から、旋回モードスイッチの位置がソフト位置、ブレーキ位置またはスピン位置のいずれであるかが判別される。
【００５７】
旋回モードスイッチの位置がソフト位置である場合、旋回機構に備えられる各クラッチの係合／解放を切り替えるための弁が制御されて、旋回機構が左右の走行装置１２に等速の動力を伝達する状態から左右の走行装置１２の一方に伝達される動力よりも低速の動力を他方に伝達する状態に切り替わる。
【００５８】
旋回モードスイッチの位置がブレーキ位置である場合、旋回機構に備えられる各クラッチの係合／解放を切り替えるための弁が制御されて、旋回機構が左右の走行装置１２に等速の動力を伝達する状態から左右の走行装置１２の一方のみに動力を伝達する状態に切り替わる。
【００５９】
旋回モードスイッチの位置がスピン位置である場合、旋回機構に備えられる各クラッチの係合／解放を切り替えるための弁が制御されて、旋回機構が左右の走行装置１２に等速の動力を伝達する状態から左右の走行装置１２の一方に伝達される動力と逆方向の動力を他方に伝達する状態に切り替わる。
【００６０】
＜走行制御のための具体的構成＞
図４は、走行制御のための具体的な構成を示すブロック図である。
【００６１】
走行制御ＥＣＵ８３は、走行制御のための処理部として、目標斜板位置算出部１０１、実斜板位置算出部１０２、偏差算出部１０３、ＰＩ（Proportional-Integral：比例積分）演算部１０４、ＦＦ（フィードフォワード）制御部１０５、加算部１０６、前進側電流検出部１０７、前進側平均電流算出部１０８、前進側偏差算出部１０９、前進側ＰＩ演算部１１０、前進側ＦＦ制御部１１１、前進側加算部１１２、後進側電流検出部１１３、後進側平均電流算出部１１４、後進側偏差算出部１１５、後進側ＰＩ演算部１１６、後進側ＦＦ制御部１１７および後進側加算部１１８を実質的に備えている。各処理部は、プログラム処理によってソフトウエア的に実現されるか、または、論理回路などのハードウェアにより実現される。
【００６２】
目標斜板位置算出部１０１は、メインＥＣＵ８１から走行制御ＥＣＵ８３に送信される調節データを用いて、主変速レバーセンサ８５の検出信号の数値化により得られる検出値を調節し、その調節後の検出値を主変速レバー２１の位置に応じた値とする。たとえば、主変速レバーセンサ８５の組み付けのばらつきにより、主変速レバー２１が中立位置（基準位置）に位置するときの主変速レバーセンサ８５の検出値が基準位置に応じた基準値からずれる場合がある。調節データは、そのずれを解消すべく主変速レバーセンサ８５の検出値を調節するデータである。目標斜板位置算出部１０１は、予め設定された最高車速以下の範囲において、所定の計算式に従って、主変速レバー２１の位置に応じた油圧ポンプ４１のポンプ斜板の位置の目標である目標斜板位置を算出する。なお、主変速レバー２１の位置と目標斜板位置との関係を定めたマップが走行制御ＥＣＵ８３のメモリに格納されていて、目標斜板位置算出部１０１は、そのマップに従って、主変速レバー２１の位置に応じた目標斜板位置を設定してもよい。
【００６３】
実斜板位置算出部１０２は、メインＥＣＵ８１から走行制御ＥＣＵ８３に送信される調節データを用いて、ポンプ斜板位置センサ８９の検出信号の数値化により得られる検出値を調節し、調節後の検出値を油圧ポンプ４１のポンプ斜板の実際の位置（傾斜角度）である実斜板位置に応じた値とする。たとえば、ポンプ斜板位置センサ８９の組み付けのばらつきにより、油圧ポンプ４１のポンプ斜板が基準位置に位置するときのポンプ斜板位置センサ８９の検出値が基準位置に応じた基準値からずれる場合がある。調節データは、そのずれを解消すべくポンプ斜板位置センサ８９の検出値を調節するデータである。
【００６４】
偏差算出部１０３は、目標斜板位置算出部１０１によって算出される目標斜板位置に応じた値から実斜板位置算出部１０２によって算出される実斜板位置に応じた値を減算することにより、目標斜板位置と実斜板位置との偏差である斜板位置偏差を算出する。
【００６５】
ＰＩ演算部１０４は、斜板位置偏差に所定の比例ゲインを乗算（比例動作）して得られるＰ制御項と、斜板位置偏差に所定の積分ゲインを乗算（積分動作）して得られるＩ制御項とを加算することにより、圧力制御弁６１，６３に供給される電流値の目標である目標電流値を演算する。
【００６６】
ＦＦ制御部１０５は、たとえば、走行制御ＥＣＵ８３のメモリに格納されているマップに従って、斜板位置偏差に応じた目標電流値の修正量を求める。たとえば、走行制御ＥＣＵ８３のメモリには、斜板位置偏差と目標電流値の修正量との関係を定めたマップが格納されている。
【００６７】
加算部１０６は、ＰＩ演算部１０４によって求められる目標電流値と、ＦＦ制御部１０５によって設定される目標電流値の修正量とを加算する。
【００６８】
前進側電流検出部１０７は、前進側の圧力制御弁６１に対応づけて設けられている電流センサ８８の検出信号から、前進側の圧力制御弁６１に供給される電流の値を検出する。
【００６９】
前進側平均電流算出部１０８は、前進側電流検出部１０７によって検出される電流値の移動平均を求め、これにより得られる値を実電流値として算出する。
【００７０】
前進側偏差算出部１０９は、加算部１０６から出力される目標電流値とその修正量との加算値から前進側平均電流算出部１０８によって算出される実電流値を減算することにより、目標電流値および修正量の加算値と実電流値との偏差である電流値偏差を算出する。
【００７１】
前進側ＰＩ演算部１１０は、電流値偏差に所定の比例ゲインを乗算（比例動作）して得られるＰ制御項と、電流値偏差に所定の積分ゲインを乗算（積分動作）して得られるＩ制御項とを加算することにより、圧力制御弁６１に供給される電流を制御するためのチョッパ制御のデューティを演算する。
【００７２】
前進側ＦＦ制御部１１１は、たとえば、走行制御ＥＣＵ８３のメモリに格納されているマップに従って、電流値偏差に応じたデューティの修正量を求める。たとえば、走行制御ＥＣＵ８３のメモリには、電流値偏差とデューティの修正量との関係を定めたマップが格納されている。
【００７３】
前進側加算部１１２は、前進側ＰＩ演算部１１０によって求められるデューティと、前進側ＦＦ制御部１１１によって設定されるデューティの調整量とを加算する。そしてその加算値に応じたデューティで前進側の圧力制御弁６１に供給される電流がチョッパ制御される。
【００７４】
後進側電流検出部１１３は、後進側の圧力制御弁６１に対応づけて設けられている電流センサ８８の検出信号から、後進側の圧力制御弁６１に供給される電流の値を検出する。
【００７５】
後進側平均電流算出部１１４は、後進側電流検出部１１３によって検出される電流値の移動平均を求め、これにより得られる値を実電流値として算出する。
【００７６】
後進側偏差算出部１１５は、加算部１０６から出力される目標電流値とその修正量との加算値から後進側平均電流算出部１１４によって算出される実電流値を減算することにより、目標電流値および修正量の加算値と実電流値との偏差である電流値偏差を算出する。
【００７７】
後進側ＰＩ演算部１１６は、電流値偏差に所定の比例ゲインを乗算（比例動作）して得られるＰ制御項と、電流値偏差に所定の積分ゲインを乗算（積分動作）して得られるＩ制御項とを加算することにより、圧力制御弁６１に供給される電流を制御するためのチョッパ制御のデューティを演算する。
【００７８】
後進側ＦＦ制御部１１７は、たとえば、走行制御ＥＣＵ８３のメモリに格納されているマップに従って、電流値偏差に応じたデューティの修正量を求める。たとえば、走行制御ＥＣＵ８３のメモリには、電流値偏差とデューティの修正量との関係を定めたマップが格納されている。
【００７９】
後進側加算部１１８は、後進側ＰＩ演算部１１６によって求められるデューティと、後進側ＦＦ制御部１１７によって設定されるデューティの調整量とを加算する。そしてその加算値に応じたデューティで後進側の圧力制御弁６３に供給される電流がチョッパ制御される。
【００８０】
以上の構成により、コンバイン１の各部が正常に動作しているときの走行制御では、主変速レバー２１の位置の変化に応じて、前進側の圧力制御弁６１および後進側の圧力制御弁６３に供給される電流が制御され、油圧ポンプ４１のポンプ斜板の位置が調節されて、機体１１の前進および後進の速度が無段階に変化する。この走行制御は、通常手法による走行制御である。
【００８１】
コンバイン１に異常が発生し、通常手法による走行制御に必要な走行制御用情報を取得できないときには、走行制御ＥＣＵ８３により、通常手法とは異なる縮退手法による走行制御が実行される。縮退手法による走行制御の内容は、コンバイン１に生じている異常の種類によって異なる。以下に、縮退手法による走行制御（縮退制御）の具体例をいくつか挙げる。
【００８２】
（１）主変速レバー２１の位置を取得不能な異常
主変速レバーセンサ８５の故障や主変速レバーセンサ８５に接続された信号線の断線などの異常が発生したために、走行制御ＥＣＵ８３が主変速レバー２１の位置を取得不能な異常が考えられる。この異常が発生したときには、走行制御ＥＣＵ８３により、スイッチ８７を機体１１の前後進の指示に使用可能とする設定がなされる。そして、走行制御ＥＣＵ８３からメインＥＣＵ８１にその旨の情報が送信されて、メインＥＣＵ８１の制御により、メータパネル８４の表示器に、スイッチ８７を機体１１の前後進の指示に使用する旨が表示される。たとえば、こぎ深さスイッチが機体１１の前後進の指示に使用可能とされ、こぎ深さを第１長さに設定するこぎ深さスイッチのオンにより、機体１１の前進を指示することができ、こぎ深さを第２長さに設定するこぎ深さスイッチのオンにより、機体１１の後進を指示することができる。
【００８３】
この場合、こぎ深さを第１長さに設定するこぎ深さスイッチがオンであるときには、目標斜板位置算出部１０１は、主変速レバー２１の位置に応じた目標斜板位置の算出を行わず、油圧ポンプ４１のポンプ斜板の位置の目標である目標斜板位置が前進側の一定位置に設定する。一方、こぎ深さを第２長さに設定するこぎ深さスイッチがオンであるときには、目標斜板位置算出部１０１は、主変速レバー２１の位置に応じた目標斜板位置の算出を行わず、油圧ポンプ４１のポンプ斜板の位置の目標である目標斜板位置が後進側の一定位置に設定する。
【００８４】
そして、かかる場合には、ＰＩ演算部１０４、前進側ＰＩ演算部１１０および後進側ＰＩ演算部１１６のそれぞれにおける比例ゲインおよび積分ゲインが通常制御時よりも低減、たとえば、０（零）に設定される。これにより、走行制御におけるフィードバック制御項の効力が零となり、サーボシリンダ５８および圧力制御弁６１，６３を含むサーボ機構６６がフィードフォワード制御される。
【００８５】
（２）メインＥＣＵ８１と走行制御ＥＣＵ８３との間での通信異常（その１）。
メインＥＣＵ８１と走行制御ＥＣＵ８３との間での通信異常により、走行制御ＥＣＵ８３がメインＥＣＵ８１から主変速レバー２１の位置の検出のための調節データを取得できないときには、目標斜板位置算出部１０１により主変速レバー２１の位置が取得される際に、主変速レバーセンサ８５の検出信号から取得される検出値の調節が行われず、その検出値がそのまま主変速レバー２１の位置に応じた値とされる。
【００８６】
そして、ＰＩ演算部１０４、前進側ＰＩ演算部１１０および後進側ＰＩ演算部１１６のそれぞれにおける比例ゲインおよび積分ゲインが通常制御時よりも低減、たとえば、０（零）に設定される。これにより、走行制御におけるフィードバック制御項の効力が零となり、サーボシリンダ５８および圧力制御弁６１，６３を含むサーボ機構６６がフィードフォワード制御される。
【００８７】
（３）メインＥＣＵ８１と走行制御ＥＣＵ８３との間での通信異常（その２）。
メインＥＣＵ８１と走行制御ＥＣＵ８３との間での通信異常により、走行制御ＥＣＵ８３がメインＥＣＵ８１から油圧ポンプ４１のポンプ斜板の実斜板位置に応じた値の算出のための調節データを取得できないときには、実斜板位置算出部１０２により実斜板位置に応じた値が算出される際に、ポンプ斜板位置センサ８９の検出信号の数値化により得られる検出値の調節が行われず、その検出値がそのまま実斜板位置に応じた値とされる。
【００８８】
そして、ＰＩ演算部１０４、前進側ＰＩ演算部１１０および後進側ＰＩ演算部１１６のそれぞれにおける比例ゲインおよび積分ゲインが通常制御時よりも低減、たとえば、０（零）に設定される。これにより、走行制御におけるフィードバック制御項の効力が零となり、サーボシリンダ５８および圧力制御弁６１，６３を含むサーボ機構６６がフィードフォワード制御される。
【００８９】
＜作用効果＞
以上のように、エンジン３２と左右一対の走行装置１２との間には、ＨＳＴ３１が介在されている。ＨＳＴ３１は、エンジン３２の動力で駆動される油圧ポンプ４１および油圧ポンプ４１が吐出する圧油によって駆動される油圧モータ４２を含む構成である。左右一対の走行装置１２には、油圧モータ４２の動力が伝達される。
【００９０】
通常時には、ＨＳＴ３１が通常手法で制御され、その制御では、走行制御用情報が用いられる。コンバイン１に走行制御用情報を取得できない異常が発生した場合、その異常の発生に応じてＨＳＴ３１の制御の手法が通常手法から走行制御用情報を用いない縮退手法に切り替えられて、その後は縮退手法によりＨＳＴ３１が制御される。これにより、コンバイン１に走行制御用情報を取得できない異常が発生しても、ＨＳＴ３１を縮退動作させることができ、ＨＳＴ３１から走行装置１２に動力を伝達して、コンバイン１の走行を継続させることができる。
【００９１】
そのため、コンバイン１が踏切横断中に走行制御用情報を取得できない異常が発生した場合に、コンバイン１が踏切を渡りきることができ、コンバイン１が踏切内で立ち往生する危険を減らすことができる。また、コンバイン１が坂道走行中に走行制御用情報を取得できない異常が発生した場合に、ＨＳＴ３１から走行装置１２に動力が伝達されなくなることを抑制でき、コンバイン１がその運転する者の意図に反して坂道を下る危険を減らすことができる。さらには、圃場内でコンバイン１に走行制御用情報を取得できない異常が発生した場合に、コンバイン１を自走により圃場外に脱出させることができる。
【００９２】
よって、コンバイン１に走行制御用情報を取得不能な異常が発生した際の安全性および利便性の向上を図ることができる。
【００９３】
＜変形例＞
以上、本発明の一実施形態について説明したが、本発明は、他の形態で実施することも可能である。
【００９４】
たとえば、前述の実施形態では、収穫機の一例として、コンバイン１を取り上げたが、本発明は、コンバイン１に限らず、人参や大根、枝豆、キャベツなどの野菜を収穫する収穫機にも適用することができる。
【００９５】
その他、前述の構成には、特許請求の範囲に記載された事項の範囲で種々の設計変更を施すことが可能である。
【符号の説明】
【００９６】
１：コンバイン（収穫機）
１２：走行装置
１５：脱穀装置
２１：主変速レバー（シフト操作部材）
３１：ＨＳＴ（動力伝達装置）
３２：エンジン
４１：油圧ポンプ
４２：油圧モータ
６６：サーボ機構
８１：メインＥＣＵ（制御装置）
８３：走行制御ＥＣＵ（走行制御装置、情報取得手段、通常制御手段、縮退制御手段）
８５：主変速レバーセンサ（操作位置検出手段）
８７：スイッチ（スイッチ操作部材）
８９：ポンプ斜板位置センサ（斜板位置検出手段）
１０２：実斜板位置算出部（斜板位置検出手段）
【図１】
2019213501.tif 000003
【図２】
2019213501.tif 000004
【図３】
2019213501.tif 000005
【図４】
2019213501.tif 000006